(57)【要約】【課題】幅広い年齢層の人達に取って聞き取り易い音声を出力できる出力装置を提供することを目的とする。【解決手段】使用者に動作を案内するための音声を示す音声データと、使用者に動作を案内するためのＯＳＤを示す画像データとを記憶する記憶部と、記憶部に記憶されている音声データを出力する音声出力部と、記憶部に記憶されている画像データを出力する画像出力部と、を備え、画像出力部は、使用者に特定の動作を案内するためのＯＳＤとして、通常のサイズの通常ＯＳＤと、通常ＯＳＤよりも大きなサイズの簡単ＯＳＤとを出力可能であり、音声出力部は、画像出力部が簡単ＯＳＤを出力するモードに設定されると、通常ＯＳＤを出力するモードに設定されている場合よりも低い音程の音声データを出力する。【選択図】図１
2015038659.tif 000002
【特許請求の範囲】
【請求項１】
使用者に動作を案内するための音声を示す音声データと、使用者に動作を案内するためのＯＳＤを示す画像データとを記憶する記憶部と、
前記記憶部に記憶されている音声データを出力する音声出力部と、
前記記憶部に記憶されている画像データを出力する画像出力部と、を備え、
前記画像出力部は、使用者に特定の動作を案内するためのＯＳＤとして、通常のサイズの通常ＯＳＤと、前記通常ＯＳＤよりも大きなサイズの簡単ＯＳＤとを出力可能であり、
前記音声出力部は、前記画像出力部が前記簡単ＯＳＤを出力するモードに設定されると、前記通常ＯＳＤを出力するモードに設定されている場合よりも低い音程の音声データを出力する、
出力装置。
【請求項２】
使用者に動作を案内するための音声を示す音声データと、使用者に動作を案内するためのＯＳＤを示す画像データとを記憶する記憶部と、
前記記憶部に記憶されている音声データを出力する音声出力部と、
前記記憶部に記憶されている画像データを出力する画像出力部と、を備え、
前記音声出力部は、使用者に特定の動作を案内するための音声を示す音声データとして、通常の音程の通常音声データと、前記通常音声データよりも低い音程の簡単音声データとを出力可能であり、
前記画像出力部は、前記音声出力部が前記簡単音声データを出力するモードに設定されると、前記通常音声データを出力するモードに設定されている場合よりも大きいサイズのＯＳＤを示す画像データを出力する、
出力装置。
【請求項３】
使用者に動作を案内するための音声を示す音声データと、使用者に動作を案内するためのＯＳＤを示す画像データとを記憶する記憶部と、
前記記憶部に記憶されている音声データを出力する音声出力部と、
前記記憶部に記憶されている画像データを出力する画像出力部と、
使用者から特定のモード設定指示を受け付ける受付手段と、を備え、
前記音声出力部は、使用者に特定の動作を案内するための音声を示す音声データとして、通常の音程の通常音声データと、前記通常音声データよりも低い音程の簡単音声データとを出力可能であり、
前記画像出力部は、使用者に特定の動作を案内するためのＯＳＤとして、通常のサイズの通常ＯＳＤと、前記通常ＯＳＤよりも大きなサイズの簡単ＯＳＤとを出力可能であり、
前記受付手段が特定のモードへの設定指示を受け付けると、
前記音声出力部は、前記簡単音声データを出力し、
前記画像出力部は、前記簡単ＯＳＤを出力する、
出力装置。
【発明の詳細な説明】
【技術分野】
【０００１】
本発明は出力装置に関し、特に、使用者による操作を音声により促す出力装置に関する。
【背景技術】
【０００２】
特許文献１は、カーナビゲーション装置を開示する。このカーナビゲーション装置は、ガイド用の音声データによる音声の高さを可変する。このカーナビゲーション装置は、音声データを男性の音声と女性の音声とで切り換える。このカーナビゲーション装置は、通話相手の音声の高さが高い場合には、ガイド用の音声として低い音声を活用し、通話相手の音声の高さが低い場合には、ガイド用の音声として高い音声を活用する。
【０００３】
これにより、このカーナビゲーション装置は、ガイド音声、通話相手の音声が聞き取り難くなることを回避できる。
【先行技術文献】
【特許文献】
【０００４】
【特許文献１】特開２００７−３３３６０３号公報
【発明の概要】
【発明が解決しようとする課題】
【０００５】
ところで、人間が聞き取り易い音声の高さは、年齢により変化することが知られている。具体的には、音声を聞き取る人間の年齢が上がるに従って、低音の音声の方が聞き取りやすくなる。上記特許文献１に記載のカーナビゲーション装置においては、音声を聞き取る人間の年齢等については考慮されていない。従って、上記特許文献１に記載のカーナビゲーション装置によっては、幅広い年齢層の人間に聞き取り易い高さの音声を提供できていない。
【０００６】
本発明は、幅広い年齢層の人達に取って聞き取り易い音声を出力できる出力装置を提供することを目的とする。
【課題を解決するための手段】
【０００７】
上記課題を解決するために、本発明にかかる出力装置は、使用者に動作を案内するための音声を示す音声データと、使用者に動作を案内するためのＯＳＤを示す画像データとを記憶する記憶部と、記憶部に記憶されている音声データを出力する音声出力部と、記憶部に記憶されている画像データを出力する画像出力部と、を備え、画像出力部は、使用者に特定の動作を案内するためのＯＳＤとして、通常のサイズの通常ＯＳＤと、通常ＯＳＤよりも大きなサイズの簡単ＯＳＤとを出力可能であり、音声出力部は、画像出力部が簡単ＯＳＤを出力するモードに設定されると、通常ＯＳＤを出力するモードに設定されている場合よりも低い音程の音声データを出力する。
【０００８】
また、本発明にかかる出力装置は、使用者に動作を案内するための音声を示す音声データと、使用者に動作を案内するためのＯＳＤを示す画像データとを記憶する記憶部と、記憶部に記憶されている音声データを出力する音声出力部と、記憶部に記憶されている画像データを出力する画像出力部と、を備え、音声出力部は、使用者に特定の動作を案内するための音声を示す音声データとして、通常の音程の通常音声データと、通常音声データよりも低い音程の簡単音声データとを出力可能であり、画像出力部は、前記音声出力部が前記簡単音声データを出力するモードに設定されると、通常音声データを出力するモードに設定されている場合よりも大きいサイズのＯＳＤを示す画像データを出力するようにしてもよい。
【０００９】
また、本発明にかかる出力装置は、使用者に動作を案内するための音声を示す音声データと、使用者に動作を案内するためのＯＳＤを示す画像データとを記憶する記憶部と、記憶部に記憶されている音声データを出力する音声出力部と、記憶部に記憶されている画像データを出力する画像出力部と、使用者から特定のモード設定指示を受け付ける受付手段と、を備え、音声出力部は、使用者に特定の動作を案内するための音声を示す音声データとして、通常の音程の通常音声データと、通常音声データよりも低い音程の簡単音声データとを出力可能であり、画像出力部は、使用者に特定の動作を案内するためのＯＳＤとして、通常のサイズの通常ＯＳＤと、通常ＯＳＤよりも大きなサイズの簡単ＯＳＤとを出力可能であり、受付手段が特定のモードへの設定指示を受け付けると、音声出力部は、簡単音声データを出力し、画像出力部は、前記簡単ＯＳＤを出力するようにしてもよい。
【発明の効果】
【００１０】
本発明によれば、幅広い年齢層の人達に取って聞き取り易い音声を出力できる出力装置を提供できる。
【図面の簡単な説明】
【００１１】
【図１】実施の形態１にかかるシステム全体を示す模式図
【図２】実施の形態１にかかるレコーダ１００の構成を示すブロック図
【図３】実施の形態１におけるＧＵＩの表示例を示す模式図
【図４】実施の形態１における音声ガイドの選択アルゴリズムを示すフローチャート
【発明を実施するための形態】
【００１２】
本発明をレコーダに適用した実施の形態１について図面を用いて説明する。
【００１３】
１．実施の形態１
１−１．システムの全体構成
図１は、本発明の一実施形態に係るデジタルレコーダーシステムの構成を模式的に示した図である。
【００１４】
デジタルレコーダーシステムは、レコーダ１００、ＴＶ２００、スピーカー３００、リモコン４００から構成される。リモコン４００はレコーダ１００に付属されており、ユーザーはリモコン４００を使用してレコーダ１００を操作する。
【００１５】
レコーダ１００にはアンテナが繋がれており、アンテナから受信した放送波を、ユーザー指示によりレコーダ１００内部に装備しているＨＤＤなどメモリに録画する。また、ＨＤＤなど内部メモリに録画した放送番組は、ユーザー指示により再生することも可能である。
【００１６】
レコーダ１００はＨＤＭＩなどのＡＶケーブルなどによりＴＶ２００、スピーカー３００と接続されており、放送視聴や録画した番組の再生を行う場合は、ＴＶ２００に映像を、スピーカー３００に音声を出力する。ユーザーはＴＶ２００とスピーカー３００を通して、所望の放送や録画した番組を楽しむことが可能となる。
【００１７】
また、レコーダ１００は録画・再生以外にもさまざまな機能を備えており、これら機能をユーザーが使いやすいようにＯＳＤなどのＧＵＩ機能を備えている。このＧＵＩはＴＶ２００に表示される。ユーザーがレコーダ１００を操作する場合、ＴＶ２００に表示されたＧＵＩを見ながら、リモコン４００でＧＵＩを操作することになる。
【００１８】
更に、ユーザーがレコーダ１００をより使いやすくするため、ＧＵＩを表示するのに合わせて、ＧＵＩの内容を説明（補足）する音声を、スピーカー３００を経由して出力する音声ガイドの機能をレコーダ１００は備えている。ユーザーは音声ガイドを聞きながら、ＴＶ２００に表示されたＧＵＩを操作することで、ＧＵＩを通じたレコーダ１００の機器操作の理解度を深めることが可能となり、より簡単にレコーダ１００を操作することができるようになる。なお、このシステム構成では、ＴＶ２００とスピーカー３００は別体として図示しているが、スピーカー３００がＴＶ２００に内蔵されているとしても構わない。
【００１９】
１−２．レコーダの構成
図２は、レコーダ１００の内部の機能ブロックを模式的に示した図である。この図を使って、レコーダ１００の内部構成、および、動きを説明する。
【００２０】
レコーダ１００は、チューナー部１２０、マイコン部１３０、リモコン受信部１４０、ＨＤＤ１５０、ＡＶ出力部１６０から構成される。
【００２１】
チューナー部１２０は外部のアンテナと接続されており、アンテナから放送信号（デジタル放送波など）を受信し、それをマイコン部１３０に送信する。また、マイコン部１３０より選局要求を受付、指定された放送局にチューニングを行う。
【００２２】
リモコン受信部１４０はユーザーが操作するリモコン４００からの信号を受信し、その信号内容をマイコン部１３０に送信する。
【００２３】
ＨＤＤ１５０は、チューナー部１２０が受信した放送波を記録したり、ユーザーに出力するための音声ガイドが記録されている。再生においては、記録されている番組を読み出し、マイコン部１３０に送信する。
【００２４】
ＡＶ出力部１６０はＨＤＭＩなどのＡＶ出力を具備しており、ケーブルを介してＴＶ２００やスピーカー３００と接続されている。チューナー部１２０が受信した放送波やＨＤＤ１５０に記録されている放送番組・音声ガイドなどは、ＡＶ出力部１６０からＴＶ２００、スピーカー３００に送信され、ユーザーに対して出力されることとなる。
【００２５】
マイコン部１３０は、放送波の暗号を解くデスクランブラー、放送波の圧縮されたＡＶデータをデコードするデコーダ、ＡＶデータの内部構造(ＧＯＰ構造)を解析するＡＶデータ解析処理、ＡＶデータを解析した結果から管理情報を作成する管理情報作成処理、ＡＶデータや管理情報をＨＤＤ１５０に書き出したり、ＨＤＤ１５０から記録されている音声ガイドやＡＶデータなどを読み出したりするディスクアクセス処理、リモコン受信部１４０から送信されてきたリモコン信号を解釈するリモコン信号解釈処理、マイコン部１３０内部の機能ブロック群や、チューナー部１２０など外部のブロックを制御するメインＣＰＵから構成される。
【００２６】
１−３．かんたんモード
上述したとおり、レコーダ１００は、ＯＳＤを出力する。レコーダ１００は、設定されているモードに応じて、出力するＯＳＤを変える。ユーザーは、レコーダ１００を通常モードとかんたんモードとに設定できる。通常モードとかんたんモードにおけるＯＳＤについて図３を用いて説明する。図３は、レコーダ１００におけるＯＳＤを説明するための模式図である。
【００２７】
レコーダ１００は、設定されているモードに応じて様々な機能のＯＳＤを変更する。ここでは、録画番組の一覧表示機能におけるＯＳＤの違いについて説明する。図３（ａ）は、かんたんモードにおけるＯＳＤを示す図であり、図３（ｂ）は、通常モードにおけるＯＳＤを示す図である。
【００２８】
通常モードにおいては、レコーダ１００は、ＨＤＤ１５０に記録された番組を１画面に７個ずつ表示する。記録番組が７個を超える場合には、画面が複数ページから構成されることになる。ユーザーは、ＴＶ２００に表示されたこの画面を見ながら、再生する番組をリモコン操作により選択する。通常モードにおいては、１画面に沢山の録画番組を表示できる反面、１番組ごとの文字情報等が小さいので、目がよくない老人等にとってはあまり親切ではない。
【００２９】
一方、かんたんモードにおいては、レコーダ１００は、ＨＤＤ１５０に記録された番組を１画面に４個ずつ表示する。この場合には、１画面に表示される情報量は減ってしまう反面、１番組ごとの文字情報等は大きくなるので、目がよくない老人等にとっても見やすい表示となる。なお、通常モードとかんたんモードとの切り替えは、ユーザーからのリモコン操作によってかんたんに実行できる。例えば、リモコン４００に「かんたんボタン」というボタンを用意し、そのボタンを押すとモード切り替えを実行できるようにしてもよい。また、ＧＵＩ上に「かんたんモード」というボタンを用意し、ユーザーがそのボタンを選択した場合にモード切り替えを実行してもよい。
【００３０】
１−４．音声ガイドの選択アルゴリズム
上述したとおり、レコーダ１００は、音声ガイド機能を有する。レコーダ１００は、音声ガイドのための音声データを２種類用意している。具体的には、レコーダ１００は、音程の高い音声データと音程の低い音声データとをＨＤＤ１５０に記憶している。レコーダ１００における音声ガイドの際に用いる音声データの選択アルゴリズムについて図４を用いて説明する。図４は、音声データの選択アルゴリズムを説明するためのフローチャートである。
【００３１】
ユーザーにより音声ガイド機能をＯＮされると（Ｓ１００）、マイコン１３０は、レコーダ１００が通常モード（ＧＵＩサイズ小）に設定されているか、かんたんモード（ＧＵＩサイズ大）に設定されているかを判断する（Ｓ１１０）。
【００３２】
通常モードに設定されていると判断すると、マイコン１３０は、音程の高い音声データを出力することで音声ガイドを開始するようＨＤＭＩ１６０を制御する（Ｓ１２０）。一方、かんたんモードに設定されていると判断すると、マイコン１３０は、音程の低い音声データを出力することで音声ガイドを開始するようＨＤＭＩ１６０を制御する（Ｓ１３０）。
【００３３】
このように、レコーダ１００は、かんたんモードに設定されている場合に、通常モードに設定されている場合よりも低い音程の音声で音声ガイドを行う。このように構成する理由について説明する。かんたんモードに設定するユーザーは、高齢であることが多い。また、上述したとおり、高齢者は、高音の音声よりも低音の音声の方が聞き取りやすいということが知られている。そのため、レコーダ１００は、かんたんモードに設定されるのに応じて、音程の低い音声での音声ガイドを開始することとした。
【００３４】
これにより、ユーザーは、ＧＵＩの大きさを切り換えるだけで、適切な音声ガイドを自動で利用でき、わざわざ音声ガイドの音声を別途設定する必要がない。また、ＧＵＩに連動して音声ガイドが切り替わるため、複数のユーザーが１つの装置を共有して使用した場合、それぞれのユーザーに対して最適と考えられる音声ガイドを何の設定もなく利用することが可能となる。
【００３５】
２．他の実施の形態
以上、本発明をその好適な実施形態に基づいて詳述してきたが、本発明はこれら特定の
実施形態に限られるものではなく、この発明の要旨を逸脱しない範囲の様々な形態も本発明に含まれる。
【００３６】
たとえば、スマートフォンなど携帯電話の実施例を説明する。携帯電話やスマートフォンも、ユーザーインターフェースとしてＤＩＳＰＬＡＹを備えており、その上に表示する文字サイズを簡単に変更できるインターフェースを提供している。また、同時に音声ガイドの機能を備えている機種も存在する。この場合も、表示文字サイズを変更するのに合わせて、文字サイズが大きく設定されれば、音程が低い音声ガイドを出力するということを行う。こうすれば、文字サイズ変更、音声ガイド変更など複数の設定を行うことなく、快適な環境で携帯電話を利用することが可能となり、高齢者のユーザーに聞き取りやすい音程による音声ガイドを提供できる。
【００３７】
また、銀行のＡＴＭにおいても、音声ガイドはすでに行われている。また、表示する文字の大きさを変更するインターフェースも備えている。しかし、この２つの機能の間に関連性が無く、現在のところ文字表示のみが変更される実状である。そこで、表示する文字を大きくする場合、この表示切替に連動して（自動的に）、出力する音声ガイドを音程が低いものに切り替える。これにより、ユーザーは手間が増えることなく、従来以上に使いやすい環境でＡＴＭを使用することが可能となる。特にＡＴＭの様に公共の場所におかれている場合、周りの雑音もひどい場合があり、高齢者には音声ガイドの音程を低くすることの効果は大きいと考えられる。
【００３８】
また、地下鉄や電車などの切符販売機においても同様に適用できる。更にこのケースにおいては、利用者（端末操作者）の年齢層を入れるというステップも存在する場合も有り、音声ガイドの切替を、ＧＵＩの表示文字の大きさ以外に、利用者の年齢層に合わせて変更するとしても良い。
【００３９】
また、自動車に搭載されているナビゲーションシステムにおいても、表示するＧＵＩの文字表示は変更可能なものがある。またカーナビゲーションでは、操作者（運転者）は常に車前方を見ているため、音声ガイドは必須の機能となっている。そこで、カーナビゲーションにおいても、ＧＵＩの表示切替に同期して、出力する音声ガイドの音程を変更する。この例においても、ユーザーはＧＵＩの変更と音声ガイドの変更を同時にする必要が無く、ＧＵＩ変更のみで快適なナビゲーション環境を利用することが可能となる。
【００４０】
また、これまでの実施例では、通常の音声ガイドと、音程を低くした音声ガイドを別に記録しておくという内容になっているが、１つの音声ガイドで出力時の音程を操作することで、音程が低い音声ガイドにして出力するという形態でも構わない。
【００４１】
また、実施の形態１においては、ＧＵＩの大きさを変更することに応じて、音声ガイドの音程を変更することとしたが必ずしもこのような構成には限定されない。例えば、音声ガイドの音程を変更することに応じて、ＧＵＩの大きさを変更するような構成としてもよい。これにより、単に音声ガイドの音程を設定するだけで、ＧＵＩの大きさの設定も自動で行うことができる。
【産業上の利用可能性】
【００４２】
本発明は、レコーダやＡＴＭやスマートフォン等のＡＶデータを出力する出力装置に適用できる。
【符号の説明】
【００４３】
１００    レコーダ
２００    ＴＶ
３００    スピーカー
４００    リモコン
【図１】
2015038659.tif 000003
【図２】
2015038659.tif 000004
【図３】
2015038659.tif 000005
【図４】
2015038659.tif 000006